(57)【要約】【課題】主に携帯用の電子機器等に用いられる電池収容器、及びこれを用いたリモコン送信機に関し、電池の保持が確実なものを提供することを目的とする。【解決手段】ケース２１の収納部２２中間の突起部２２Ａに、複数の電池３Ａと３Ｂの間に接触する中間電極２３を装着して電池収容器２５を構成することによって、中間電極２３によって複数の電池を個々に保持できるため、電池の飛び出し等が生じ難く、確実な保持の可能なものを得ることができる。【選択図】図１
2005174628.tif 000002
【特許請求の範囲】
【請求項１】
略円弧状に窪んだ収納部を有するケースと、この収納部内に直列に収納された複数の電池と、上記収納部を覆う蓋体からなり、上記ケースの収納部中間に上記複数の電池間に接触する中間電極を設けた電池収容器。
【請求項２】
蓋体の略中間に保持部を形成し、この保持部をケースに係止した請求項１記載の電池収容器。
【請求項３】
請求項１記載の電池収容器と、複数のスイッチ接点と、これらに接続された制御手段からなり、上記スイッチ接点の操作に応じて上記制御手段がリモコン信号を送信するリモコン送信機。
【発明の詳細な説明】
【技術分野】
【０００１】
本発明は、主にリモコン送信機やデジタルカメラ等の携帯用の電子機器に用いられる電池収容器に関するものである。
【背景技術】
【０００２】
近年、リモコン送信機やデジタルカメラ等の、特に携帯用の電子機器においては、機器内の電池収容器に複数の電池を収容し、この電池を電源として機器の電気的・機械的動作を行うものが増えている。
【０００３】
このような従来の電池収容器について、リモコン送信機を例として図３を用いて説明する。
【０００４】
図３は従来のリモコン送信機の断面図であり、同図において、１は略箱状で絶縁樹脂製のケースで、このケース１上面には略円弧状に窪んだ収納部２が設けられると共に、収納部２内には複数の電池３Ａと３Ｂが直列に並んで収納され、この収納部２の上面開口部を蓋体４が覆って、電池収容器５が形成されている。
【０００５】
そして、収納部２の左端には、金属線製で円錐渦巻き状のコイル電極６がやや撓んだ状態で装着され、このコイル電極６によって電池３Ａが付勢されて電池３Ｂへ圧接すると共に、電池３Ｂの右端が平面渦巻き状の平面電極７に弾接している。
【０００６】
また、８は上下面に複数の配線パターン（図示せず）が形成された配線基板で、下面には複数の固定接点（図示せず）が形成されると共に、発光ダイオード９Ａやマイコン９Ｂ等の電子部品が実装されて、リモコン信号を送信する制御手段９が形成され、これらにコイル電極６や平面電極７を介して電池３Ａと３Ｂから電源が供給されるように構成されている。
【０００７】
さらに、１０はゴム等の可動接点体で、ドーム状の複数の操作部１０Ａが形成されると共に、操作部１０Ａの上面には、配線基板８の固定接点と所定の間隙を空けて対向する可動接点（図示せず）が設けられ、この固定接点と可動接点によってスイッチ接点が形成されている。
【０００８】
そして、１１は絶縁樹脂製のカバーで、このカバー１１によってケース１下面が覆われると共に、カバー１１下面から可動接点体１０の複数の操作部１０Ａが上下動可能に突出して、リモコン送信機が構成されている。
【０００９】
以上の構成において、このリモコン送信機を電子機器に向け、例えば、電源用や音量切換用等の所定の操作部１０Ａを押圧操作し、スイッチ接点の電気的接離を行うと、これらに対応した赤外線のリモコン信号が制御手段９から電子機器へ送信され、これによって電子機器の電源の入／切や音量の増減等が、遠隔操作によって行われるように構成されているものであった。
【００１０】
なお、この出願の発明に関連する先行技術文献情報としては、例えば、特許文献１が知られている。
【特許文献１】特開２００３−２８８８７０号公報
【発明の開示】
【発明が解決しようとする課題】
【００１１】
しかしながら、上記従来の電池収容器及びこれを用いたリモコン送信機においては、収納部２左端の一つのコイル電極６によって、電池３Ａと３Ｂの圧接や平面電極７への弾接を行っており、コイル電極６のばね荷重をある程度大きなものとする必要があるため、電池の保持が不安定となり、電池交換時やリモコン送信機を誤って落下させた際、電池が飛び出し易いという課題があった。
【００１２】
本発明は、このような従来の課題を解決するものであり、電池の保持を確実に行える電池収容器、及びこれを用いたリモコン送信機を提供することを目的とする。
【課題を解決するための手段】
【００１３】
上記目的を達成するために本発明は、以下の構成を有するものである。
【００１４】
本発明の請求項１に記載の発明は、ケースの収納部中間に、複数の電池間に接触する中間電極を設けて電池収容器を構成したものであり、中間電極によって複数の電池を個々に保持できるため、電池の飛び出し等が生じ難く、確実な保持の可能な電池収容器を得ることができるという作用を有する。
【００１５】
請求項２に記載の発明は、請求項１記載の発明において、蓋体の略中間に保持部を形成し、この保持部をケースに係止したものであり、蓋体に多少のソリや変形があった場合にも、蓋体をケースへ確実に係止することができるという作用を有する。
【００１６】
請求項３に記載の発明は、請求項１記載の電池収容器と、複数のスイッチ接点の操作に応じてリモコン信号を送信する制御手段によってリモコン送信機を構成したものであり、電池の保持が確実なリモコン送信機を実現することができるという作用を有する。
【発明の効果】
【００１７】
以上のように本発明によれば、電池の保持を確実に行える電池収容器、及びこれを用いたリモコン送信機を実現することができるという有利な効果が得られる。
【発明を実施するための最良の形態】
【００１８】
以下、本発明の実施の形態について、図１及び図２を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン送信機の断面図、図２は同分解斜視図であり、同図において、２１は略箱状でポリスチレンやＡＢＳ等の絶縁樹脂製のケースで、ケース２１上面には略円弧状に窪んだ収納部２２が設けられると共に、この収納部２２の中間には突起部２２Ａが設けられ、円錐渦巻き状のコイル部２３Ａと平面渦巻き状の平面部２３Ｂから形成された中間電極２３が、この突起部２２Ａに装着されている。
【００２１】
また、収納部２２の左端には、金属線製で円錐渦巻き状のコイル電極６がやや撓んだ状態で装着され、このコイル電極６によって電池３Ａが付勢されて中間電極２３の平面部２３Ｂに弾接すると共に、電池３Ｂはやや撓んだ状態のコイル部２３Ａに付勢されて右端が平面渦巻き状の平面電極７に弾接している。
【００２２】
つまり、収納部２２内に直列に並んで収納された複数の電池３Ａと３Ｂは、直接互いが圧接するのではなく、コイル電極６とコイル部２３Ａによって個々に付勢され、平面部２３Ｂと平面電極７に各々弾接するように構成されている。
【００２３】
そして、２４は略平板状で絶縁樹脂製の蓋体で、蓋体２４の略中間には両側面下方へ突出する爪状の保持部２４Ａが形成されると共に、この保持部２４Ａがケース２１の係合部２１Ａに係止され、蓋体２４が収納部２２の上面開口部を覆って、電池収容器２５が形成されている。
【００２４】
また、２６は上下面に銅等によって複数の配線パターン（図示せず）が形成された紙フェノールやガラス入りエポキシ等の配線基板で、下面には複数の固定接点（図示せず）が形成されると共に、発光ダイオード２７Ａやマイコン２７Ｂ等の電子部品が実装されて、リモコン信号を送信する制御手段２７が形成され、これらに中間電極２３によって接続された電池３Ａと３Ｂから、コイル電極６や平面電極７を介して電源が供給されるように構成されている。
【００２５】
さらに、２８はシリコンゴムやエラストマー等の可動接点体で、ドーム状の複数の操作部２８Ａが形成されると共に、操作部２８Ａの上面には、配線基板２６の固定接点と所定の間隙を空けて対向する可動接点（図示せず）が設けられ、この固定接点と可動接点によってスイッチ接点が形成されている。
【００２６】
そして、２９はネジ等によってケース２１に固着された絶縁樹脂製のカバーで、このカバー２９によってケース２１下面が覆われると共に、カバー２９下面から可動接点体２８の複数の操作部２８Ａが上下動可能に突出して、リモコン送信機が構成されている。
【００２７】
以上の構成において、このリモコン送信機を電子機器に向け、例えば、電源用や音量切換用等の所定の操作部２８Ａを押圧操作し、スイッチ接点の電気的接離を行うと、これらに対応した赤外線のリモコン信号が制御手段２７から電子機器へ送信され、これによって電子機器の電源の入／切や音量の増減等が、遠隔操作によって行われるように構成されている。
【００２８】
このように本実施の形態によれば、ケース２１の収納部２２中間の突起部２２Ａに、複数の電池３Ａと３Ｂの間に接触する中間電極２３を装着して電池収容器２５を構成することによって、直列に並んだ電池３Ａはコイル電極６によって、電池３Ｂはコイル部２３Ａによって各々付勢されるため、コイル電極６とコイル部２３Ａのばね荷重を極端に大きくする必要がなくなると共に、複数の電池を個々に保持できるため、電池の飛び出し等が生じ難く、確実な保持の可能な電池収容器、及びこれを用いたリモコン送信機を得ることができるものである。
【００２９】
また、蓋体２４の略中間に保持部２４Ａを形成し、この保持部２４Ａをケース２１の係合部２１Ａに係止することによって、蓋体２４に多少のソリや変形があった場合にも、蓋体２４をケース２１へ確実に係止することができる。
【産業上の利用可能性】
【００３０】
本発明による電池収容器及びこれを用いたリモコン送信機は、電池の確実な保持が可能なものが得られ、特に携帯用の電子機器等に有用である。
【図面の簡単な説明】
【００３１】
【図１】本発明の一実施の形態によるリモコン送信機の断面図
【図２】同分解斜視図
【図３】従来のリモコン送信機の断面図
【符号の説明】
【００３２】
３Ａ、３Ｂ  電池
６  コイル電極
７  平面電極
２１  ケース
２１Ａ  係合部
２２  収納部
２２Ａ  突起部
２３  中間電極
２３Ａ  コイル部
２３Ｂ  平面部
２４  蓋体
２４Ａ  保持部
２５  電池収容器
２６  配線基板
２７  制御手段
２７Ａ  発光ダイオード
２７Ｂ  マイコン
２８  可動接点体
２８Ａ  操作部
２９  カバー
【図１】
2005174628.tif 000003
【図２】
2005174628.tif 000004
【図３】
2005174628.tif 000005